【手続補正書】
【提出日】平成24年5月29日(2012.5.29)
【手続補正１】
【補正対象書類名】明細書
【補正対象項目名】００１１
【補正方法】変更
【補正の内容】
【００１１】
また、本発明の請求項２に係る搬送装置は、請求項１に記載の搬送装置において、前記方向転換部が、前記スライドユニットに収容された前記シートを張架する複数の第一の方向転換部材と、前記スライドユニットに収容された前記シートを押さえつけて、前記開口部を覆うように前記シートを案内する第二の方向転換部材とを有し、
前記補償手段として、前記第一の方向転換部材を少なくとも上方又は前記スライドユニットの移動方向に付勢する付勢手段を有することを特徴としている。
また、本発明の請求項３に係る搬送装置は、請求項１に記載の搬送装置において、前記補償手段が、前記シートの経年変化による伸びに応じて前記シートの経路長を長くする手段であることを特徴としている。
また、本発明の請求項４に係る搬送装置は、請求項１に記載の搬送装置において、前記補償手段が、前記シートに対して張力を付与する手段であることを特徴としている。
【手続補正２】
【補正対象書類名】明細書
【補正対象項目名】００１３
【補正方法】変更
【補正の内容】
【００１３】
また、本発明の請求項５に係る搬送装置は、請求項１〜４のいずれかに記載の搬送装置において、前記シートが布地であることを特徴としている。
また、本発明の請求項６に係る搬送装置は、請求項５に記載の搬送装置において、前記シートが防火布であることを特徴としている。
また、本発明の請求項７に係る搬送装置は、請求項１に記載の搬送装置において、前記スライダと前記レールには、それぞれ転動体転動溝が形成され、前記スライダの転動体転動溝と前記レールの転動体転動溝との間に転動体が配置されることを特徴としている。
【手続補正３】
【補正対象書類名】明細書
【補正対象項目名】００１４
【補正方法】変更
【補正の内容】
【００１４】
また、本発明の請求項８に係る搬送装置は、横断面が略Ｕ字形状のレール内にスライダを配置した、又は略Ｕ字形状のケーシング内部に、駆動伝達機構と、前記ケーシング長手方向に沿って移動するスライダとを備えた直動ユニットと、前記レール又はケーシングに形成された開口部を覆うように前記レール又はケーシングに沿って張り渡されるとともに、両端部が固定されてなる可撓性のシートと、
前記スライダに設けられて、前記スライダの移動方向に沿って、前記シートを収容するスライドユニットと、
前記スライドユニットに設けられて、前記シートの張り渡し方向を前記スライダを迂回させるように転換する方向転換部とを備える搬送装置であって、
前記シートの経年変化による伸びを緩和する補償手段が設けられ、
前記スライドユニットが、前記スライダに固定されたスライドベースと、該スライドベースの移動方向の両端部に着脱可能に設けられたガイドロール支持ブロックとを有し、前記第一の方向転換部材が前記スライドベースに設けられ、前記第二の方向転換部材が前記ガイドロール支持ブロックに設けられたことを特徴としている。
本発明に係る搬送装置では、方向転換部のうち、シートに下向きに付勢する第二の方向転換部材を各ガイドロール支持ブロックに設けた。シートの交換時には、まず、２つのガイドロール支持ブロックをスライドベースから離脱させて、シートに対する下向きの付勢力を解除する。その後、古いシートの端部に新しいシートの端部を連結して引き抜くことによって、古いシートと新しいシートとを入れ替える。その後、スライドベースの両端部において、第二の方向転換部材をシートに下向きに押さえつけた状態で、各ガイドロール支持ブロックをスライドベースに設置する。このように、スライドベースに着脱可能とされたガイドロール支持ブロックに第二の方向転換部材が取付けられているため、シートの交換時には、ガイドロール支持ブロックをスライドベースに固定するだけで第二の方向転換部材によるシートへの下向きの付勢が容易になされる。また、シートの張力を損なうことなく、スライドベースの上面に搭載物が取付けられている状態のまま、容易かつ確実にシートの交換を行うことができる。
【手続補正４】
【補正対象書類名】明細書
【補正対象項目名】００１５
【補正方法】変更
【補正の内容】
【００１５】
また、本発明の請求項９に係るシートは、横断面が略Ｕ字形状のレール内にスライダを配置した、又は略Ｕ字形状のケーシング内部に、駆動伝達機構と、前記ケーシング長手方向に沿って移動するスライダとを備えた直動ユニットと、
前記スライダに設けられて、前記スライダの移動方向に沿って、前記レール又はケーシングに形成された開口部を覆うように前記レール又はケーシングに沿って張り渡される可撓性のシートを収容するスライドユニットと、
前記スライドユニットに設けられて、前記シートの張り渡し方向を前記スライダを迂回させるように転換する方向転換部と、前記シートの経年変化による伸びを緩和する補償手段とを備える搬送装置に用いられるシートであって、
布であることを特徴としている。
【手続補正５】
【補正対象書類名】特許請求の範囲
【補正対象項目名】全文
【補正方法】変更
【補正の内容】
【特許請求の範囲】
【請求項１】
横断面が略Ｕ字形状のレール内にスライダを配置した、又は略Ｕ字形状のケーシング内部に、駆動伝達機構と、前記ケーシング長手方向に沿って移動するスライダとを備えた直動ユニットと、前記レール又はケーシングに形成された開口部を覆うように前記レール又はケーシングに沿って張り渡されるとともに、両端部が固定されてなる可撓性のシートと、
前記スライダに設けられて、前記スライダの移動方向に沿って、前記シートを収容するスライドユニットと、
前記スライドユニットに設けられて、前記シートの張り渡し方向を前記スライダを迂回させるように転換する方向転換部とを備える搬送装置であって、
前記シートの経年変化による伸びを緩和する補償手段が設けられたことを特徴とする搬送装置。
【請求項２】
前記方向転換部が、前記スライドユニットに収容された前記シートを張架する複数の第一の方向転換部材と、前記スライドユニットに収容された前記シートを押さえつけて、前記開口部を覆うように前記シートを案内する第二の方向転換部材とを有し、
前記補償手段として、前記第一の方向転換部材を少なくとも上方又は前記スライドユニットの移動方向に付勢する付勢手段を有することを特徴とする請求項１に記載の搬送装置。
【請求項３】
前記補償手段が、前記シートの経年変化による伸びに応じて前記シートの経路長を長くする手段であることを特徴とする請求項１に記載の搬送装置。
【請求項４】
前記補償手段が、前記シートに対して張力を付与する手段であることを特徴とする請求項１に記載の搬送装置。
【請求項５】
前記シートが布地であることを特徴とする請求項１〜４のいずれかに記載の搬送装置。
【請求項６】
前記シートが防火布であることを特徴とする請求項５に記載の搬送装置。
【請求項７】
前記スライダと前記レールには、それぞれ転動体転動溝が形成され、前記スライダの転動体転動溝と前記レールの転動体転動溝との間に転動体が配置されることを特徴とする請求項１に記載の搬送装置。
【請求項８】
横断面が略Ｕ字形状のレール内にスライダを配置した、又は略Ｕ字形状のケーシング内部に、駆動伝達機構と、前記ケーシング長手方向に沿って移動するスライダとを備えた直動ユニットと、前記レール又はケーシングに形成された開口部を覆うように前記レール又はケーシングに沿って張り渡されるとともに、両端部が固定されてなる可撓性のシートと、
前記スライダに設けられて、前記スライダの移動方向に沿って、前記シートを収容するスライドユニットと、
前記スライドユニットに設けられて、前記シートの張り渡し方向を前記スライダを迂回させるように転換する方向転換部とを備える搬送装置であって、
前記シートの経年変化による伸びを緩和する補償手段が設けられ、
前記スライドユニットが、前記スライダに固定されたスライドベースと、該スライドベースの移動方向の両端部に着脱可能に設けられたガイドロール支持ブロックとを有し、前記第一の方向転換部材が前記スライドベースに設けられ、前記第二の方向転換部材が前記ガイドロール支持ブロックに設けられたことを特徴とする搬送装置。
【請求項９】
横断面が略Ｕ字形状のレール内にスライダを配置した、又は略Ｕ字形状のケーシング内部に、駆動伝達機構と、前記ケーシング長手方向に沿って移動するスライダとを備えた直動ユニットと、
前記スライダに設けられて、前記スライダの移動方向に沿って、前記レール又はケーシングに形成された開口部を覆うように前記レール又はケーシングに沿って張り渡される可撓性のシートを収容するスライドユニットと、
前記スライドユニットに設けられて、前記シートの張り渡し方向を前記スライダを迂回させるように転換する方向転換部と、前記シートの経年変化による伸びを緩和する補償手段とを備える搬送装置に用いられるシートであって、
布であることを特徴とするシート。
【請求項１０】
防火布であることを特徴とする請求項９に記載のシート。
【請求項１１】
該シートが固定されるための固定部材が端部に設けられたことを特徴とする請求項９又は１０に記載のシート。